(57)【特許請求の範囲】
【請求項１】
ケーシング(Ｓ)内に並列に配置した第１ダンパ室(１)と第２ダンパ室(２)と第３ダンパ室(３)にダンパ軸(８)を回転可能に貫通させ、上記のダンパ室(１)(２)(３)にそれぞれ挿入した第１ダンパ羽根(１１)と第２ダンパ羽根(１２)と第３ダンパ羽根(１３)の各閉鎖面(１１ａ)(１２ａ)(１３ａ)を半円周状に形成して、上記の三つのダンパ羽根(１１)(１２)(１３)を上記ダンパ軸(８)の所定の回転位置に取り付け、
上記のダンパ軸(８)がほぼ1/4回転される第１回転領域(Ｍ)では、その回転角度(θ)が大きくなるにつれて上記の第２ダンパ羽根(１２)の開度を大きくするのに対して上記の第３ダンパ羽根(１３)の開度を小さくすると共に、上記の第１ダンパ羽根(１１)を全閉に保持し、
同上のダンパ軸(８)が上記の第１回転領域(Ｍ)からほぼ1/4回転だけさらに回転される第２回転領域(Ｎ)では、その回転角度(θ)が大きくなるにつれて上記の第１ダンパ羽根(１１)の開度を大きくするのに対して上記の第２ダンパ羽根(１２)の開度を小さくすると共に、上記の第３ダンパ羽根(１３)を全閉に保持するように構成した、ことを特徴とする空調用ダンパ装置。
【請求項２】
前記の各ダンパ羽根(１１)(１２)(１３)を半円柱形に形成して、その半円柱形のダンパ羽根(１１)(１２)(１３)の半円周面によって前記の閉鎖面(１１ａ)(１２ａ)(１３ａ)を構成した、ことを特徴とする請求項１に記載した空調用ダンパ装置。
【請求項３】
前記の三つのダンパ室(１)(２)(３)へ供給される各空気が、熱交換用コイルによって熱交換されたコイル通過空気(Ｘ)と、外気と還気との混合空気(Ｙ)と、外気(Ｚ)とである、ことを特徴とする請求項１又は２に記載した空調用ダンパ装置。
【発明の詳細な説明】
【０００１】
【発明の属する技術分野】
この発明は、複数種の空調用空気の風量比を調節するダンパ装置に関する。
【０００２】
【従来の技術】
この種の空調用ダンパ装置は、空調空間の熱負荷に対応する温度の混合空気を供給するために使用されており、従来では、図６に示すように構成されたものがある。
【０００３】
図６(ａ)の平面図と図６(ｂ)の立面図に示すように、従来のダンパ装置は、並列に配置したダンパＤ及びＥを例えば４セット備え、複数のゾーンへ混合空気を供給可能になっている。即ち、ケーシングＦ内が三枚の横板５５と四枚の縦板５６とによって区画されて、横方向へ並列に配置した右ダンパ室５１及び左ダンパ室５２が４セット形成される。上記の右ダンパ室５１に冷風が供給され、左ダンパ室５２に温風が供給される。
【０００４】
上記の左右のダンパ室５１・５２にダンパ軸５８が回転可能に貫通されて、そのダンパ軸５８がアクチュエータ(図示せず)によって所望の回転位置に操作される。上記の各ダンパ室５１・５２内に長方形のダンパ羽根６１・６２が挿入されて、各ダンパ羽根６１・６２が上記ダンパ軸５８に固定される。
【０００５】
【発明が解決しようとする課題】
上記の従来装置は、図６(ｃ)の作動説明図に示すように、ダンパ軸５８を０度から90度の範囲で回転させることによって各ダンパ羽根６１・６２の開度が変化され、これにより、冷風と温風との二種類の空気の風量比を調節して所望の温度の混合空気を得ることができる。
しかしながら、上述のように二種類の空気を混合するだけでは、その混合空気が供給される空調空間の快適性を向上することには限界があり、この点でダンパ装置の改善が要望されていた。
本発明の目的は、空調空間の快適性を向上できるダンパ装置を提供することにある。
【０００６】
【課題を解決するための手段】
上記の目的を達成するため、本発明は、例えば、図１から図４、又は図５に示すように、ダンパ装置を次のように構成したものである。
【０００７】
ケーシングＳ内に並列に配置した第１ダンパ室１と第２ダンパ室２と第３ダンパ室３にダンパ軸８を回転可能に貫通させ、上記のダンパ室１・２・３にそれぞれ挿入した第１ダンパ羽根１１と第２ダンパ羽根１２と第３ダンパ羽根１３の各閉鎖面１１ａ・１２ａ・１３ａを半円周状に形成して、上記の三つのダンパ羽根１１・１２・１３を上記ダンパ軸８の所定の回転位置に取り付け、上記のダンパ軸８がほぼ1/4回転される第１回転領域Ｍでは、その回転角度θが大きくなるにつれて上記の第２ダンパ羽根１２の開度を大きくするのに対して上記の第３ダンパ羽根１３の開度を小さくすると共に、上記の第１ダンパ羽根１１を全閉に保持し、同上のダンパ軸８が上記の第１回転領域Ｍからほぼ1/4回転だけさらに回転される第２回転領域Ｎでは、その回転角度θが大きくなるにつれて上記の第１ダンパ羽根１１の開度を大きくするのに対して上記の第２ダンパ羽根１２の開度を小さくすると共に、上記の第３ダンパ羽根１３を全閉に保持するように構成したものである。
【０００８】
上記の構成において、前記の各ダンパ羽根１１・１２・１３を半円柱形に形成して、その半円柱形のダンパ羽根１１・１２・１３の半円周面によって前記の閉鎖面１１ａ・１２ａ・１３ａを構成することが好ましい。
なお、前記の三つのダンパ室１・２・３へ供給される各空気としては、熱交換用コイルによって熱交換されたコイル通過空気Ｘと、外気と還気との混合空気Ｙと、外気Ｚなどが考えられる。
【０００９】
【発明の実施の形態】
以下、本発明の一実施形態を図１から図４によって説明する。まず、図２から図４によってダンパ装置の構造を説明する。図２は、上記ダンパ装置の平面図である。図３は、上記の図２中のIII−III線矢視図である。図４は、同上の図２中のIV−IV線矢視断面図である。
【００１０】
このダンパ装置は、並列に配置した第１ダンパＡと第２ダンパＢと第３ダンパＣとを４セット備え、四つのゾーンへ空調用の混合空気を供給可能になっている。即ち、ケーシングＳ内が三枚の横板５と多数枚の縦板６とによって区画され、横方向へ並列に配置した第１ダンパ室１と第２ダンパ室２と第３ダンパ室３とが４セット形成される。
上記の第１ダンパ室１には、図外の熱交換用コイルによって熱交換されたコイル通過空気Ｘが供給される。上記の第２ダンパ室２には、空調される室内からの還気と外気との混合空気Ｙが供給される。上記の第３ダンパ室３には、外気Ｚだけが供給される。
【００１１】
上記の第１ダンパ室１と第２ダンパ室２と第３ダンパ室３とにダンパ軸８が回転可能に貫通され、そのダンパ軸８が図外のアクチュエータによって所望の回転角度に回転される。
上記の第１ダンパ室１に第１ダンパ羽根１１が挿入され、第２ダンパ室２に第２ダンパ羽根１２が挿入され、第３ダンパ室３に第３ダンパ羽根１３が挿入される。各ダンパ羽根１１・１２・１３は、それぞれ、半円柱形に形成されており、半円周状の閉鎖面１１ａ・１２ａ・１３ａと、直径面１１ｂ・１２ｂ・１３ｂと、両側の端面１１ｃ・１２ｃ・１３ｃとを備える(後述の図１(ａ)参照)。
【００１２】
次に、上記の各ダンパ室１・２・３の構造と、上記ダンパ軸８に対する上記の各ダンパ羽根１１・１２・１３の取付け構造とを、図１(ａ)によって説明する。その図１(ａ)は、上記ダンパ軸８の回転角度θによって変化する各ダンパＡ・Ｂ・Ｃの開閉状態を示す模式図であって、前記の図４に対応する図である。
【００１３】
第１ダンパ室１内に第１通気路２１が形成される。符号２１ａは入口で符号２１ｂは出口で、その入口２１ａと並べてカバー板２１ｃが設けられている(図４参照)。第２ダンパ室２内の第２通気路２２と第３ダンパ室３内の第３通気路２３も、上記の第１通気路２１と同様に構成されており、入口２２ａ・２３ａと出口２２ｂ・２３ｂとカバー板２２ｃ・２３ｃとを備える。
【００１４】
また、前記ダンパ軸８の回転角度θが０度の場合において、前記の各ダンパ羽根１１・１２・１３がダンパ軸８の次の回転位置に取り付けられる。
第１ダンパ羽根１１は、上記の第１通気路２１を全閉する状態で流れ方向に対して直径面１１ｂが平行になるようにダンパ軸８に取り付けられる。
また、第２ダンパ羽根１２は、上記の第２通気路２２を全閉する状態で流れ方向に対して直径面１２ｂが直交するようにダンパ軸８に取り付けられる。
これに対して、第３ダンパ羽根１３は、第３通気路２３を全開する状態で流れ方向に対して直径面１３ｂが平行になるようにダンパ軸８に取り付けられる。
【００１５】
上記のダンパ装置の作動を図１(ｂ)によって説明する。その図１(ｂ)は、上記ダンパ軸８の回転角度θと各ダンパ羽根１１・１２・１３の開度との関係を示すグラフである。
【００１６】
上記ダンパ軸８の回転角度θが第１回転領域Ｍ内で０度から90度へ増加されるときには、第２ダンパ羽根１２が全閉から全開へ操作されるのに対して上記の第３ダンパ羽根１３が全開から全閉へ操作されると共に、第１ダンパ羽根１１が全閉に保持される。これとは逆に、その第１回転領域Ｍで上記の回転角度θが90度から０度へ減少されるときには、第２ダンパ羽根１２が全開から全閉へ操作されるのに対して上記の第３ダンパ羽根１３が全閉から全開へ操作されると共に、第１ダンパ羽根１１が全閉に保持される。
【００１７】
同上のダンパ軸８の回転角度θが第２回転領域Ｎ内で90度から180度へ増加されるときには、第１ダンパ羽根１１が全閉から全開へ操作されるのに対して第２ダンパ羽根１２が全開から全閉へ操作されると共に、第３ダンパ羽根１３が全閉に保持される。これとは逆に、その第２回転領域Ｎで上記の回転角度θが180度から90度へ減少されるときには、第１ダンパ羽根１１が全開から全閉へ操作されるのに対して上記の第２ダンパ羽根１２が全閉から全開へ操作されると共に、第３ダンパ羽根１３が全閉に保持される。
【００１８】
図５は、変形形態を示し、前記の図１(ａ)に相当する部分図である。この変形形態では、第２ダンパＢ・Ｃを上述の実施形態と同様に構成してあるが、第１ダンパＡを次のように変更したものである。
前記カバー板２１ｃは、第１ダンパ室１内の第１通気路２１の出口２１ｂと並べて配置される。そして、前記ダンパ軸８の回転角度θが０度の場合において、第１ダンパ羽根１１は、上記の第１通気路２１を全閉する状態で流れ方向に対して直径面１１ｂが平行になるようにダンパ軸８に取り付けられる。
そして、この変形形態の第１ダンパＡの第１ダンパ羽根１１も、ダンパ軸８の回転につれて前記の図１(ｂ)と同様に開度が変化する。
【００１９】
上記の実施形態や変形形態は次のように変更可能である。
各ダンパ羽根１１・１２・１３は、前記の各閉鎖面１１ａ・１２ａ・１３ａを半円周状に形成してあればよく、前記の直径面１１ｂ・１２ｂ・１３ｂを省略して上記の各閉鎖面１１ａ・１２ａ・１３ａを放射状のアームによってダンパ軸８に支持することも可能である。
【００２０】
三つのダンパＡ・Ｂ・Ｃは、４セット設けることに代えて、１から３セット設けてもよく、５セット以上設けてもよい。
前記ダンパＡへ供給される空気は、コイル通過空気Ｘに代えて混合空気Ｙまたは外気Ｚであってもよく、前記ダンパＢ・Ｃへ供給される空気についても同様に変更できる。さらに、上記の各ダンパＡ・Ｂ・Ｃへ供給される各空気は、湿度を所望の値に調整したものを利用できることは勿論である。
【００２１】
【発明の効果】
本発明は、上記のように構成され作用することから次の効果を奏する。
ダンパ軸の回転角度を第１回転領域内で操作することにより、ダンパ装置へ供給されてきた三種類の空気のうちの二種類の空気の風量比を調節でき、そのダンパ軸の回転角度を第２回転領域内で操作することにより、上記の三種類の空気のうちの別の二種類の空気の風量比を調節できる。
このため、上記ダンパ装置から吐出された混合空気の混合割合をきめ細かく調節することが可能となり、その結果、その混合空気が供給される空調空間の快適性を向上できる。
【００２２】
しかも、三つのダンパ羽根の開度を一本のダンパ軸によって操作することによって上記の効果を達成できるので、そのダンパ軸を操作するアクチュエータも一つだけでよく、ダンパ装置を簡素かつ安価に造れる。
【００２３】
なお、前記の各ダンパ羽根を半円柱形に形成して、その半円柱形のダンパ羽根の半円周面によって前記の閉鎖面を構成した場合には、ダンパ羽根の剛性を高めることと簡素な構成に造ることとを両立できる。
【００２４】
また、前記の三つのダンパ室へ供給される各空気が、コイル通過空気と、外気と還気との混合空気と、外気である場合には、外気冷房や外気暖房が可能となるので、空調空間を強力に換気して快適性を向上できるうえ、空調コストも低減できる。
【図面の簡単な説明】
【図１】本発明に係るダンパ装置の一実施形態を示し、図１(ａ)は、ダンパの開閉状態を示す模式図で、図１(ｂ)は、ダンパ軸の回転角度とダンパ羽根の開度との関係を示すグラフである。
【図２】上記ダンパ装置の平面図である。
【図３】上記の図２中のIII−III線矢視図である。
【図４】同上の図２中のIV−IV線矢視断面図である。
【図５】上記ダンパ装置の変形形態を示し、上記の図１(ａ)に相当する部分図である。
【図６】従来例を示し、図６(ａ)は前記の図２に相当する図、図６(ｂ)は前記の図３に相当する図、図６(ｃ)は前記の図１(ｂ)に相当する図である。
【符号の説明】
１…第１ダンパ室、２…第２ダンパ室、３…第３ダンパ室、８…ダンパ軸、１１…第１ダンパ羽根、１２…第２ダンパ羽根、１３…第３ダンパ羽根、１１ａ・１２ａ・１３ａ…閉鎖面、Ｍ…第１回転領域、Ｎ…第２回転領域、Ｓ…ケーシング、Ｘ…コイル通過空気、Ｙ…外気と還気との混合空気、Ｚ…外気、θ…ダンパ軸８の回転角度。
【図１】
0003787406.tif 000002
【図２】
0003787406.tif 000003
【図３】
0003787406.tif 000004
【図４】
0003787406.tif 000005
【図５】
0003787406.tif 000006
【図６】
0003787406.tif 000007